(57)【特許請求の範囲】
【請求項１】
入金紙幣の投入を受付けると共に出金紙幣を集積する紙幣入出金口部と、
入金紙幣および出金紙幣を鑑別する紙幣鑑別部と、
該紙幣鑑別部で金種を鑑別した入金紙幣を収納する金種別紙幣収納部と、
該金種別紙幣収納部から紙幣を繰出す紙幣繰出機構と、
取り外し可能に装着された回収庫と、
該回収庫の内部に設けられて昇降可能に構成された可動式仕切板と、
前記回収庫に紙幣を放出する回収口ゲートと、
前記紙幣入出金口部と前記紙幣鑑別部と前記金種別紙幣収納部の間で紙幣を正逆両方向に搬送する搬送路と、
該搬送路から分岐して紙幣を前記回収庫に搬送する分岐搬送路を備えた紙幣入出金機であって、
入金紙幣のうち前記鑑別部でリジェクトと鑑別された入金リジェクト紙幣と、前記紙幣繰出機構により前記金種別紙幣収納部から繰出した紙幣のうち前記鑑別部で非出金用金種と鑑別された紙幣を、前記可動式仕切板により前記回収庫内に分別して回収することを特徴とする紙幣入出金機。
【請求項２】
請求項１において、
前記可動式仕切板を、一端は紙幣回収方向の前方側に回転可能に取付け、他端は前記回収口ゲートの上方から前記回収口ゲートの下方までの間を移動可能に取付けて構成したことを特徴とする紙幣入出金機。
【請求項３】
請求項１または請求項２において、
前記入金リジェクト紙幣を回収するときは、前記可動式仕切板を、前記回収口ゲートの下方で、前記回収する入金リジェクト紙幣を回収された入金リジェクト紙幣の上面に集積する位置に移動させ、前記紙幣繰出機構によって前記金種別紙幣収納部から繰出した紙幣を回収するときは、前記可動式仕切板を、前記回収口ゲートの上方に移動させることを特徴とする紙幣入出金機。
【請求項４】
請求項１、請求項２または請求項３において、
前記可動式仕切板を、前記入金リジェクト紙幣の回収後に、該回収した入金リジェクト紙幣を前記回収庫に押し付けるように移動させることを特徴とする紙幣入出金機。
【請求項５】
請求項１から請求項３または請求項４において、
前記可動式仕切板を、前記金種別紙幣収納部から繰出した紙幣の回収後に、該回収した紙幣を前記回収庫に押し付けるように移動させることを特徴とする紙幣入出金機。
【請求項６】
請求項１から請求項４または請求項５において、
出金処理のときに、前記紙幣鑑別部で鑑別した出金リジェクト紙幣を収納する出金リジェクト庫と、該出金リジェクト庫から出金リジェクト紙幣を取り出す際に開放するリジェクト庫扉とを設けたことを特徴とする紙幣入出金機。
【請求項７】
請求項６において、
前記出金リジェクト庫を、引き出し可能に構成したことを特徴とする紙幣入出金機。
【請求項８】
請求項１から請求項６または請求項７において、
入金リジェクト紙幣をレジ係員に返却するときに、前記紙幣鑑別部で鑑別した入金リジェクト紙幣を集積する入金リジェクト紙幣返却口部と、前記搬送路に設けられ、前記入金リジェクト紙幣の搬送方向を切替える切替ブレードと、該切替ブレードによって搬送方向が切替えられた前記入金リジェクト紙幣を前記入金リジェクト紙幣返却口部へ搬送する入金リジェクト紙幣搬送路とを備えたことを特徴とする紙幣入出金機。
【発明の詳細な説明】
【技術分野】
【０００１】
本発明は、スーパーマーケットやコンビニエンスストア、ガソリンスタンド等の小売店やディスカウントショップ等の大型量販店等の精算所に設置されたレジスタやＰＯＳ（Ｐｏｉｎｔ  ｏｆ  Ｓａｌｅｓ）用のレジスタに接続して紙幣の入出金に用いる紙幣入出金機に関する。
【背景技術】
【０００２】
従来の紙幣入出金機は、紙幣入金口部に投入された紙幣を搬送路によって紙幣鑑別部に搬送し、搬送された紙幣を紙幣鑑別部で欠損および重送、斜行等によって入金リジェクト紙幣と鑑別したときに、その入金リジェクト紙幣を搬送路によって紙幣出金口部へ搬送して返却している（例えば、特許文献１参照。）。
【特許文献１】特開２００１−１３４８３９号公報（第２頁段落０００５、第１図）
【発明の開示】
【発明が解決しようとする課題】
【０００３】
しかしながら、上述した特許文献１の技術においては、入金リジェクト紙幣を搬送路によって紙幣出金口部へ搬送して返却しているため、レジ係員は返却された紙幣を再度紙幣入金口部に投入して再鑑別させ、それでもリジェクトされる紙幣は紙幣入出金機とは別に専用の金庫等に保管し、管理しておく必要があるため、取引が完了するまでに時間を要するということがある。
【０００４】
また、別の紙幣入出金機として取引が完了するまでの時間を短縮するために、精算所において顧客が紙幣を支払い、その紙幣をレジ係員が確認してから紙幣入出金機を搭載したＰＯＳレジスタの操作部によって紙幣の金額を入力すると、入力された金額にもとづく釣銭の紙幣を出金した後に、レジ係員が顧客から受取った紙幣を投入して紙幣入出金機が投入された紙幣の内、金種を鑑別した紙幣を金種別収納部に収納すると共に、金種を鑑別できない入金リジェクト紙幣を回収庫に収納する紙幣入出金機が用いられているが、一日の売上を計数する等の精算処理のときに金種別収納部から回収する紙幣と入金リジェクト紙幣とが混ざらないようにするため、レジ係員は精算処理の準備として回収庫を取り外して入金リジェクト紙幣を取り出し、再び回収庫を取り付けなくてはならないため、レジ係員にとって手間がかかって作業効率が低下するという問題がある。
【０００５】
また、一般にＰＯＳレジスタに用いられている紙幣入出金機では、その内部に出金リジェクト紙幣を収納するための出金リジェクト庫を設け、出金リジェクト庫に出金処理で鑑別した出金リジェクト紙幣を収納する。そのためレジ係員は出金リジェクト庫が満杯になったときにＰＯＳレジスタから紙幣入出金機だけを取り外し、出金リジェクト庫の上方に位置する搬送路を開いて出金リジェクト庫を開放し、そこから出金リジェクト紙幣を取り出さなくてはならないので、レジ係員にとって手間がかかって作業効率が低下するという問題がある。
【０００６】
本発明は、上記の問題点を解決するためになされたもので、精算処理の準備のために入金リジェクト紙幣を外部に取り出す手間を省くことによって、レジ係員の作業効率を向上させる手段を提供することを目的とする。
また、出金リジェクト庫から出金リジェクト紙幣を取り出すためにＰＯＳレジスタから紙幣入出金機を引き出す手間を省くことによって、レジ係員の作業効率を向上させることを目的とする。
【課題を解決するための手段】
【０００７】
本発明は、上記課題を解決するために、入金紙幣の投入を受付けると共に出金紙幣を集積する紙幣入出金口部と、入金紙幣および出金紙幣を鑑別する紙幣鑑別部と、該紙幣鑑別部で金種を鑑別した入金紙幣を収納する金種別紙幣収納部と、該金種別紙幣収納部から紙幣を繰出す紙幣繰出機構と、取り外し可能に装着された回収庫と、該回収庫の内部に設けられて昇降可能に構成された可動式仕切板と、前記回収庫に紙幣を放出する回収口ゲートと、前記紙幣入出金口部と前記紙幣鑑別部と前記金種別紙幣収納部の間で紙幣を正逆両方向に搬送する搬送路と、該搬送路から分岐して紙幣を前記回収庫に搬送する分岐搬送路を備えた紙幣入出金機であって、入金紙幣のうち前記鑑別部でリジェクトと鑑別された入金リジェクト紙幣と、前記紙幣繰出機構により前記金種別紙幣収納部から繰出した紙幣のうち前記鑑別部で非出金用金種と鑑別された紙幣を、前記可動式仕切板により前記回収庫内に分別して回収することを特徴とする。
【０００８】
また、上記の特徴を有する紙幣入出金機において、出金処理のときに、前記紙幣鑑別部で鑑別した出金リジェクト紙幣を収納する出金リジェクト庫と、該出金リジェクト庫から出金リジェクト紙幣を取り出す際に開放するリジェクト庫扉とを設けたことを特徴とする。
【発明の効果】
【０００９】
これにより、本発明は、例えば入金リジェクト紙幣を回収庫に回収するときは、回収口ゲートよりも低い位置に可動式仕切板を移動させて入金リジェクト紙幣を可動式仕切板上に集積し、紙幣繰出機構によって繰出された紙幣を回収庫に回収するときは、回収口ゲートよりも高い位置に可動式仕切板を移動させて紙幣を可動式仕切板の下方に集積して回収庫内の入金リジェクト紙幣と紙幣繰出機構によって繰出された紙幣とを区別すれば、レジ係員が精算処理の準備のために回収庫を取り外して入金リジェクト紙幣を取り出し、再び回収庫を取り付ける手間を省くことができ、業務効率を向上させることができるという効果が得られる。
【００１０】
また、出金リジェクト庫から出金リジェクト紙幣を取り出すためのリジェクト庫扉を設けて、リジェクト庫扉を開いてそこから出金リジェクト紙幣を取り出せるようにしたため、出金リジェクト庫から出金リジェクト紙幣を取り出すためにＰＯＳレジスタから紙幣入出金機を引き出し、出金リジェクト庫の上方に位置する搬送路を開いて出金リジェクト庫を開放する手間を省くことができるので、レジ係員の作業効率を向上させることができるという効果が得られる。
【発明を実施するための最良の形態】
【００１１】
以下に、図面を参照して本発明による紙幣入出金機の実施例について説明する。
【実施例１】
【００１２】
図１は実施例１の紙幣入出金機を搭載したＰＯＳレジスタを示す外観斜視図、図２は実施例１の紙幣入出金機を示す説明図、図３は実施例１の回収庫を示す斜視図、図４は実施例１の回収庫を示す側方断面図、図５は実施例１のＰＯＳレジスタを示すブロック図である。
図１において、１はＰＯＳレジスタであり、紙幣入出金機２と硬貨入出金機３とを接続して構成し、小売店や大型量販店等の精算所に設置される。
【００１３】
５はＰＯＳレジスタ１の操作部であり、レジ係員が現金の補充処理や精算処理等を実行するためのモード切替キー等の入力手段６を備える。
７は表示部であり、顧客が購入する商品の価格やレジ係員が入力した内容等を表示する。
８はレシート発行部であり、顧客へレシートを発行する機能を有する。
【００１４】
９は硬貨入出金機３の硬貨入金口部であり、レジ係員が顧客から受取った硬貨を投入する入金口としての機能を備える。
１０は硬貨出金口部であり、顧客に釣銭としての出金する硬貨を集積する出金口としての機能を備える。
１１は硬貨リジェクト庫であり、図示しない硬貨の金種等を鑑別する硬貨鑑別部で金種を鑑別できなかった硬貨を収納する。
【００１５】
図２において、１５は紙幣入出金機２の紙幣入出金口部であり、レジ係員が顧客から受取った紙幣や補充紙幣を投入する入金口としての機能と、釣銭として出金する紙幣を集積するための出金口としての機能を有する。
１６は紙幣鑑別部であり、パターン認識により紙幣の金種を鑑別する他、正損および重送、斜行等の異常搬送紙幣を鑑別する鑑別センサ１７を備えており、後述する搬送路２６により搬送された紙幣を鑑別する機能を有する。
【００１６】
１８は金種別紙幣収納部としての千券収納部であり、紙幣鑑別部１６で千円紙幣と鑑別した紙幣を集積板１８ａに集積して収納すると共に、集積した千円紙幣を１枚ごとに分離して繰出す機能を有する。
１９は金種別紙幣収納部としての５千券収納部であり、紙幣鑑別部１６で５千円紙幣と鑑別した紙幣を集積板１９ａに集積して収納すると共に、釣銭に用いない１万円紙幣や２千円紙幣の非出金用金種の紙幣を収納する機能を有する他、集積板１９ａに集積した５千円紙幣を１枚ごとに分離して繰出す機能を有する。
【００１７】
集積板１８ａ、１９ａはその上に集積した紙幣の枚数に応じて、図示しない昇降機等によって上下動可能に構成される。
２０は回収庫であり、紙幣を搬入するための回収口２２を有すると共に、紙幣入出金機２に装着可能に構成され、入金処理時に紙幣鑑別部１６で鑑別した異常搬送紙幣（以下、入金リジェクト紙幣という。）や精算処理時に回収する千券収納部１８と５千券収納部１９に集積された紙幣を回収する。
【００１８】
２３は可動式仕切板であり、図３、図４に示すように紙幣搬送方向の前方側の一端を回収庫２０内部に設けたシャフト２１に回転可能に取付け、他端を回収庫２０の上面に押し付けるようにスプリングを取付け、ソレノイド２４およびリンク部２５によって一端を支点として他端が昇降可能に構成される。
ソレノイド２４は、通電時にはその内部のプランジャ２４ａを突出させ、非通電時にはプランジャ２４ａを吸引するように構成される。
【００１９】
リンク部２５は、第１リンク２５ａと第２リンク２５ｂとを組み付け、第１リンク２５ａをソレノイド２４のプランジャ２４ａに取付け、通電したことによってソレノイド２４のプランジャ２４ａが突出して第１リンク２５ａが動いたときに、第２リンク２５ｂが動いて可動式仕切板２３の他端を下方に押圧して動かすように構成する。
回収庫２０に異常搬送紙幣が搬送されたときは、ソレノイド２４を通電してリンク部２５の第２リンク２５ｂで可動式仕切板２３を下方に押圧することにより、可動式仕切板２３が一端を支点に他端が回収口ゲート２７の下方に下がって異常搬送紙幣が可動式仕切板２３の上面に集積していく共に、精算処理で千券収納部１８と５千券収納部１９から回収する紙幣が搬送されたときは、ソレノイド２４を非通電にして可動式仕切板２３の他端を回収庫２０の上面に押し付けた状態にすることにより、回収する紙幣を可動式仕切板２３の下方に集積していく。
【００２０】
２６は搬送路であり、対向配置されたローラあるいはベルト等により構成され、紙幣入出金口部１５に投入された紙幣を挟持して正逆方向に搬送する機能を有する搬送路であって、紙幣鑑別部１６を経由して千券収納部１８や５千券収納部１９、回収庫２０へと搬送すると共に、千券収納部１８と５千券収納部１９に収納した紙幣を回収庫２０へ搬送する。
【００２１】
２７は回収口ゲートであり、図示しない駆動機構により回転駆動するフィードローラ２７ａと図示しないバネ部材によりフィードローラ２７ａを押圧してフィードローラ２７ａに従動するプレッシャローラ２７ｂとにより構成され、回収庫２０の近傍で回収口２２の外側に設けられる。
２８は紙幣検知センサであり、発光部と受光部とを対向させた光学式センサであって、回収庫２０へ搬送される紙幣の通過を検知する。
【００２２】
３０、４０は千券収納部１８、５千券収納部１９に設けられた紙幣繰出機構であり、それぞれ正逆回転可能に構成された分離モータ３１、４１の回転がピックアップローラ３２、４２に伝達するようにギアやプーリ、ベルト等を組み合わせて構成する。
３３は分離ゲートであり、正逆方向に回転する繰出ローラ３３ａと紙幣の集積方向にのみ回転する分離ローラ３３ｂとにより構成され、ピックアップローラ３２によって千券収納部１８から繰出された紙幣を１枚づつ挟持して搬送路２６へ送り込む。
【００２３】
４３は分離ゲートであり、正逆方向に回転する繰出ローラ４３ａと紙幣の集積方向にのみ回転する分離ローラ４３ｂとにより構成され、ピックアップローラ４２によって５千券収納部１９から繰出された紙幣を１枚づつ挟持して搬送路２６へ送り込む。
４５は出金リジェクト庫であり、釣銭としての紙幣の払出しを行う出金処理において紙幣鑑別部１６で異常搬送紙幣と鑑別された出金リジェクト紙幣を収納する。
【００２４】
４７は分岐搬送路であり、対向配置されたローラあるいはベルト等により紙幣を挟持して搬送する機能を有する搬送路であって、切替ブレード４８ａにより搬送路２６から分岐された紙幣を切替ブレード４８ｂにより回収庫２０あるいは出金リジェクト庫４５へ振分けて搬送する。
４９はトリガセンサであり、発光部と受光部とを対向させた光学式センサであって、発光部からの光を紙幣を遮断したことを受光部が感知して切替ブレード４８ａ、４８ｂの切替のタイミングを検出する。
【００２５】
図５において、５０はＰＯＳレジスタ１の制御部であり、ＣＰＵ（Ｃｅｎｔｒａｌ  Ｐｒｏｃｅｓｓｉｎｇ  Ｕｎｉｔ）５１とメモリ５２、Ｉ／Ｏポート５３、５４、５５等が内部バス５６を介して通信を行うように構成されている。
メモリ５２は、ＣＰＵ５１による演算処理に必要なプログラムやデータ等の情報を格納すると共に、演算処理の結果等を記憶する。
【００２６】
Ｉ／Ｏポート５３は操作部５や表示部７等のＰＯＳレジスタ１の各部への動作指示を送信する機能を有する。
Ｉ／Ｏポート５４は分離モータ３１、４１やソレノイド２４等の紙幣入出金機２内の駆動機構５７および鑑別センサ１７、紙幣検知センサ２８、トリガセンサ４９等へＣＰＵ５１からの動作指示を送信する機能を有する。
【００２７】
Ｉ／Ｏポート５５は硬貨入出金機３内のモータやソレノイド等の駆動機構５８および硬貨を検知する硬貨検知センサ５９等へＣＰＵ５１からの動作指示を送信する機能を有する。
上述した構成における出金処理および入金処理を行うときの動作について説明する。
精算所のレジ係員は顧客が購入する商品のバーコードをＰＯＳレジスタ１と接続した図示しないバーコードリーダーによって読み取る。
【００２８】
ＰＯＳレジスタ１の制御部５０は、読み取った顧客の品物のバーコードから品物の価格を認識し、認識した価格を表示部７に表示する。
レジ係員は表示部７に表示された価格を顧客に伝えて顧客から紙幣や硬貨を受取り、その紙幣や硬貨を確認して操作部５によって受取った金額を入力する。
金額の入力を認識した制御部５０は、認識した金額と認識した価格とを比較して釣銭の金額を計数し、メモリ５２に出金する釣銭紙幣の金種ごとの枚数を記憶する。
【００２９】
本実施例においては、計数の結果、６千円分の紙幣（千円紙幣を１枚と、５千円紙幣を１枚）を出金する。
出金処理を行う制御部５０は、千券収納部１８および５千券収納部１９の集積板１８ａ、１９ａを上昇させて紙幣繰出機構３０、４０を動作させ、出金金額に必要な枚数の紙幣を繰出す、つまり千券収納部１８および５千券収納部１９からそれぞれ１枚紙幣を繰出す。
【００３０】
これによって、集積板１８ａに集積した紙幣は分離モータ３１の回転が伝達して回転するピックアップローラ３２に押し付けられて繰出され、同様に集積板１９ａに集積した紙幣は分離モータ４１の回転が伝達して回転するピックアップローラ４２に押し付けられて繰出される。
制御部５０は、繰出した紙幣を分離ゲート３３、４３によって搬送路２６へ送り込み、搬送路２６によって紙幣を紙幣鑑別部１６を介するように紙幣入出金口部１５へ向けて搬送し、途中の紙幣鑑別部１６によって搬送した紙幣を鑑別する。
【００３１】
制御部５０は、鑑別した紙幣が５千券収納部１９に収納していた非出金用金種の紙幣の場合は、ソレノイド２４を非通電にして可動式仕切板２３を回収口ゲート２７よりも上方に位置させ、紙幣がトリガセンサ４９を通過したときに切替ブレード４８ａによって紙幣を分岐搬送路４７へ送って回収庫２０へ搬送し、分岐搬送路４７によって搬送した非出金用金種の紙幣を回収口ゲート２７によって挟持して回収庫２０の内部に放出し、可動式仕切板２３の下方に集積して回収する。
【００３２】
制御部５０は、異常搬送紙幣としての出金リジェクト紙幣を鑑別した場合は、搬送した出金リジェクト紙幣がトリガセンサ４９を通過したときに切替ブレード４８ａによって出金リジェクト紙幣を分岐搬送路４７へ送り、切替ブレード４８ｂの切替えによって出金リジェクト庫４５へ搬送して収納する。
制御部５０は、鑑別した紙幣が千円紙幣または５千円紙幣であった場合は、搬送路２６によって紙幣を紙幣入出金口部１５に搬送すると共に、メモリ５２に搬送した紙幣の金種ごとの枚数を計数して記憶する。
【００３３】
全ての紙幣を鑑別した制御部５０は、メモリ５２に記憶した釣銭紙幣の金種ごとの枚数と記憶した搬送した紙幣の金種ごとの枚数とを比較し、搬送した紙幣の枚数が釣銭紙幣の枚数に足りないと判定したときは、千券収納部１８または５千券収納部１９からそれぞれ足りない枚数分の紙幣を繰出して上述した出金処理の動作を再度実行し、メモリ５２に記憶した搬送した紙幣の枚数が記憶した釣銭紙幣の枚数と同一となったときにレシート発行部８でレシートを発行する。
【００３４】
レジ係員は発行されたレシートを顧客に渡した後に、顧客から受取っていた硬貨を硬貨入金口部９に投入し、受取った紙幣を紙幣入出金口部１５に投入する。
制御部５０は、硬貨入金口部９に投入された硬貨を鑑別し、鑑別した金種ごとに図示しない金種別硬貨収納部に収納する。
入金処理を行う制御部５０は、紙幣入出金口部１５に投入された紙幣を１枚づつ搬送路２６によって紙幣鑑別部１６に搬送し、搬送した紙幣を紙幣鑑別部１６によって鑑別する。
【００３５】
制御部５０は、紙幣鑑別部１６で紙幣の金種を鑑別したとき、紙幣が千円紙幣であるときは搬送路２６によって千券収納部１８に搬送して集積板１８ａ上に集積し、紙幣が千円紙幣以外であるときは、搬送路２６によって５千券収納部１９に搬送して集積板１９ａ上に集積し、紙幣入出金口部１５から次の紙幣を搬送する。
制御部５０は、紙幣鑑別部１６で鑑別した紙幣が異常搬送紙幣である入金リジェクト紙幣であると判定したとき、ソレノイド２４に通電して可動式仕切板２３の他端を回収口ゲート２７の下方に移動させる。
【００３６】
制御部５０は、搬送方向を紙幣入出金口部１５の方へ反転させ、搬送路２６によって入金リジェクト紙幣を搬送し、トリガセンサ４９を通過したときに、切替ブレード４８ａによって入金リジェクト紙幣を分岐搬送路４７へ送って回収庫２０へ搬送し、分岐搬送路４７によって搬送した入金リジェクト紙幣を回収口ゲート２７によって挟持して回収庫２０の内部に放出し、可動式仕切板２３上に集積して回収する。
【００３７】
制御部５０は、紙幣検知センサ２８によって入金リジェクト紙幣の通過を確認したら、紙幣入出金口部１５から次の紙幣を搬送して上述したように紙幣の入金処理を実行し、紙幣を全て搬送して入金処理の終了を認識し、ソレノイド２４を非通電の状態にすることによって可動式仕切板２３に取り付けたスプリングが他端を回収庫２０の上面に押し付けるように作用するため、集積した入金リジェクト紙幣は可動式仕切板２３と回収庫２０の上面との間で挟まれて押し付けられる。
【００３８】
次に精算処理を行うときの動作について説明する。
レジ係員がＰＯＳレジスタ１の操作部５によって紙幣入出金機２の精算処理のための入力操作を行う。
精算処理のための入力を受付けた制御部５０は、ソレノイド２４を非通電にして可動式仕切板２３を回収口ゲート２７の上方に位置されると共に、上述した出金処理と同様にして紙幣繰出機構３０、４０を動かして千券収納部１８および５千券収納部１９の集積板１８ａ、１９ａを上昇させて紙幣を１枚づつ繰出していく。
【００３９】
制御部５０は、繰出した紙幣を分離ゲート３３、４３によって搬送路２６へ送り込んで搬送すると共に、切替ブレード４８ａによって紙幣を分岐搬送路４７へ送り込んで回収庫２０へ搬送し、搬送した紙幣を回収口ゲート２７で挟持して回収庫２０の内部に放出し、可動式仕切板２３の下方に集積して回収する。
制御部５０は、紙幣検知センサ２８が所定の時間、紙幣の通過を検知しなかったと判定したとき、ソレノイド２４に通電して可動式仕切板２３を下降させて集積した紙幣を可動式仕切板２３と回収庫２０の下面との間で押し付ける。
【００４０】
このように、入金処理で入金リジェクト紙幣を鑑別したときは、可動式仕切板２３の上に集積されている紙幣の上面が回収口ゲート２７よりも低くなるように可動式仕切板２３を移動させ、入金リジェクト紙幣を可動式仕切板２３上に集積し、出金処理で非出金用金種の紙幣を鑑別したときや精算処理を行うときは、可動式仕切板２３が回収口ゲート２７よりも高い位置にあるため、非出金用金種の紙幣および精算処理で回収される紙幣を可動式仕切板２３の下方に集積する。
【００４１】
以上説明したように、本実施例では、回収庫の内部に可動式仕切板を設け、入金リジェクト紙幣を回収庫に集積するときは、可動式仕切板を回収口ゲートの下方に移動させて入金リジェクト紙幣を可動式仕切板上に集積し、精算処理で回収する紙幣を回収庫に集積するときは、可動式仕切板を回収口ゲートの上方へ位置させて精算処理で回収する紙幣を可動式仕切板の下方に集積することによって、回収庫内の入金リジェクト紙幣と精算処理時に回収する紙幣とを区別するので、レジ係員が回収庫を取り外して入金リジェクト紙幣を取り出し、再び回収庫を取り付ける手間を省くことができ、業務効率を向上させることができる。
【００４２】
また、入金リジェクト紙幣を可動式仕切板上に集積した後、可動式仕切板を上昇させて回収庫の上面との間で入金リジェクト紙幣を押し付けるようにしたので、入金リジェクト紙幣の折れやくせ等によって回収庫内でのジャム等の障害を防止することができる
さらに、精算処理で回収した紙幣を可動式仕切板の下方に集積した後、可動式仕切板を下降させて回収庫との間で押し付けるようにしたので、紙幣の折れやくせ等によって回収庫内でのジャム等の障害を防止することができる。
【実施例２】
【００４３】
図６は実施例２の紙幣入出金機を示す概略構成図である。
なお、上記実施例１と同様の部分は、同一の符号を付してその説明を省略する。
図６において、６０はリジェクト庫扉であり、専用のセキュリティーキーにより開錠と施錠を行うロック機構を備え、出金リジェクト庫４５の内部を開放する扉である。
本実施例の出金リジェクト庫４５は、回収庫２０の下方に設置され、リジェクト庫扉６０を開いた状態でレジ係員が手を入れることによって出金リジェクト紙幣を取り出せるように構成する。
【００４４】
本実施例の制御部５０のメモリ５２には、通常の紙幣出金処理を実行するための紙幣出金処理実行プログラムに、出金処理における出金リジェクト紙幣の鑑別回数の閾値を格納すると共に、出金リジェクト紙幣を鑑別した回数を計数して計数した回数が格納した鑑別回数の閾値となったときに表示部７に出金リジェクト庫４５が満杯になったことを通知するための画面を表示させるアプリケーションプログラムを加えた本実施例の紙幣出金処理実行プログラムを格納している。
【００４５】
上述した構成における出金処理で出金リジェクト紙幣を鑑別したときの動作について説明する。
制御部５０は、上記実施例１の出金処理と同様に千券収納部１８あるいは５千券収納部１９から繰出した紙幣を紙幣鑑別部１６によって鑑別し、出金リジェクト紙幣と鑑別したときは搬送路２６によって搬送された出金リジェクト紙幣がトリガセンサ４９を通過したときに搬送振替ゲート４８ａを切替えて出金リジェクト紙幣を分岐搬送路４７へ分岐させ、搬送振替ゲート４８ｂを切替えることによって出金リジェクト庫４５へ搬送し、出金リジェクト庫４５に収納する。
【００４６】
制御部５０は、出金リジェクト紙幣を鑑別したときに出金リジェクト紙幣の鑑別回数を計数してメモリ５２に記憶し、記憶した鑑別回数と格納した閾値とを比較して鑑別回数が閾値と同じと判定したときに表示部７に出金リジェクト庫４５が満杯である旨の画面を表示する。
レジ係員は表示部７の出金リジェクト庫４５が満杯である旨の画面を見て、セキュリティーキーによってリジェクト庫扉６０を開錠して出金リジェクト庫４５内部に手を入れて出金リジェクト紙幣を取り出す。
【００４７】
このように、出金リジェクト庫から紙幣を取り出すときに開くリジェクト庫扉６０を設け、レジ係員は出金リジェクト庫４５に集積した出金リジェクト紙幣を取り出すときに、リジェクト庫扉６０を開けて出金リジェクト庫４５内に手を入れて出金リジェクト紙幣を取り出すようにする。
以上説明したように、本実施例では、上記実施例１の効果に加えて、出金リジェクト庫から出金リジェクト紙幣を取り出すためのリジェクト庫扉を設けて、リジェクト庫扉を開いて出金リジェクト庫内に手を入れて出金リジェクト紙幣を取り出せるようにしたため、出金リジェクト庫から出金リジェクト紙幣を取り出すためにＰＯＳレジスタから紙幣入出金機を引き出し、出金リジェクト庫を開く手間を省くことができるので、レジ係員にとって出金リジェクト紙幣の取り出しを容易に行うことができる。
【００４８】
なお、本実施例においては、リジェクト庫扉を開いた状態でレジ係員が手を入れて出金リジェクト紙幣を取り出すことができるとして説明したが、ロック機構を備えて紙幣入出金機から引き出し可能に構成した出金リジェクト庫を設け、出金リジェクト紙幣を取り出すときに、ロック機構を開錠してから出金リジェクト庫を引き出すようにすれば、出金リジェクト紙幣の取り忘れを防止することができる。
【実施例３】
【００４９】
図７は実施例３の紙幣入出金機を示す概略構成図である。
なお、上記各実施例と同様の部分は同一の符号を付してその説明を省略する。
図７において、７０は入金リジェクト紙幣返却口部であり、紙幣入出金口部１５の上方に設けられて、紙幣鑑別部１６で鑑別した入金リジェクト紙幣を集積するための返却口としての機能を有する。
【００５０】
７１は入金リジェクト紙幣搬送路であり、対向配置されたローラあるいはベルト等により紙幣を挟持して搬送する機能を有する搬送路であって、切替ブレード７２によって搬送路２６から分岐された紙幣を入金リジェクト紙幣返却口部７０へ搬送する。
上述した構成の作用について説明する。
本実施例においては、通常回収庫２０に回収している入金リジェクト紙幣を回収しないでレジ係員が確認できるようにするため、予めレジ係員がＰＯＳレジスタ１の操作部５によって入金リジェクト紙幣をレジ係員に返却するための設定入力を行い、これを認識したＣＰＵ５１はＩ／Ｏポート５４を介して紙幣入出金機２に入金リジェクト紙幣のレジ係員への返却指示を送信したものとして説明する。
【００５１】
紙幣入出金口部１５に紙幣が投入された場合、制御部５０は投入された紙幣を一枚づつ搬送路２６によって紙幣鑑別部１６へ搬送し、紙幣鑑別部１６で搬送された紙幣を鑑別する。
制御部５０は紙幣鑑別部１６で紙幣の金種を鑑別した場合は、上記実施例１と同様にして搬送路２６によって紙幣を千券収納部１８または５千券収納部１９に収納する。
【００５２】
制御部５０は紙幣鑑別部１６で入金リジェクト紙幣を鑑別した場合は、搬送路２６によって入金リジェクト紙幣を紙幣入出金口部１５の方向へ搬送すると共に、切替ブレード７２を切替えて入金リジェクト紙幣を入金リジェクト紙幣搬送路７１に分岐させる。
制御部５０は入金リジェクト紙幣搬送路７１によって入金リジェクト紙幣を入金リジェクト紙幣返却口部７０へ搬送して集積する。
【００５３】
このように、入金リジェクト紙幣返却口部７０を設けて鑑別した入金リジェクト紙幣を搬送して集積する。
以上説明したように、本実施例では、上記実施例２のリジェクト庫扉を設けて、リジェクト庫扉を開いて出金リジェクト庫から出金リジェクト紙幣を取り出せるようにしたことにより、レジ係員にとって出金リジェクト紙幣の取り出しを容易に行うことができるという効果に加えて、入金リジェクト紙幣を集積するための入金リジェクト紙幣返却口部を設けたため、入金リジェクト紙幣を紙幣入出金口部に戻すようにしたために、紙幣入出金口部に紙幣鑑別部に搬送されていない紙幣が残っているにも関わらず入金リジェクト紙幣が戻ってきたために入金処理が中断してしまうことを防止するので、業務効率を向上させることができる。
【００５４】
なお、上記実施例３においては、入金リジェクト紙幣返却口部を紙幣入出金口部の上方に設けるとして説明したが、図８に示すように紙幣入出金口部の下方に設置しても、同様の効果を得ることができる。
なお、上記各実施例においては、小売店や大型量販店等の精算所に設置されるＰＯＳレジスタに適用した場合を例に説明したが、銀行等の金融機関の店舗の窓口に設置されて窓口係員が使用する窓口端末に適用してもよい。
【図面の簡単な説明】
【００５５】
【図１】実施例１のレジ釣銭機を示す外観斜視図
【図２】実施例１の紙幣入出金機を示す説明図
【図３】実施例１の回収庫を示す斜視図
【図４】実施例１の回収庫を示す側方断面図
【図５】実施例１のＰＯＳレジスタを示すブロック図
【図６】実施例２の紙幣入出金機を示す概略構成図
【図７】実施例３の紙幣入出金機を示す概略構成図
【図８】入金リジェクト紙幣返却口部の配置を変更した紙幣入出金機を示す概略構成図
【符号の説明】
【００５６】
１    ＰＯＳレジスタ
２    紙幣入出金機
３    硬貨入出金機
５    操作部
６    入力手段
７    表示部
８    レシート発行部
９    硬貨入金口部
１０  硬貨出金口部
１１  硬貨リジェクト庫
１５  紙幣入出金口部
１６  紙幣鑑別部
１７  鑑別センサ
１８  千券収納部
１８ａ、１９ａ  集積板
１９  ５千券収納部
２０  回収庫
２２  回収口
２３  可動式仕切板
２４  ソレノイド
２４ａ  プランジャ
２５  リンク部
２５ａ  第１リンク
２５ｂ  第２リンク
２６  搬送路
２７  回収口ゲート
２７ａ  フィードローラ
２７ｂ  プレッシャローラ
２８  紙幣検知センサ
３０、４０  紙幣繰出機構
３１、４１  分離モータ
３２、４２  ピックアップローラ
３３、４３  分離ゲート
３３ａ、４３ａ  繰出ローラ
３３ｂ、４３ｂ  分離ローラ
４５  出金リジェクト庫
４７  分岐搬送路
４８ａ、４８ｂ  切替ブレード
４９  トリガセンサ
５０  制御部
５１  ＣＰＵ
５２  メモリ
５３、５４、５５  Ｉ／Ｏポート
５６  内部バス
５７、５８  駆動機構
５９  硬貨検知センサ
６０  リジェクト庫扉
７０  入金リジェクト紙幣返却口部
７１  入金リジェクト紙幣搬送路
７２  切替ブレード
【図２】
0004706369.tif 000002
【図１】
0004706369.tif 000003
【図３】
0004706369.tif 000004
【図４】
0004706369.tif 000005
【図５】
0004706369.tif 000006
【図６】
0004706369.tif 000007
【図７】
0004706369.tif 000008
【図８】
0004706369.tif 000009